(57)【要約】【課題】リチウムの析出が防止される電池構造体を提供すること。【解決手段】本実施形態の電池構造体１は、リチウムイオン二次電池からなる複数の電池１０と、該電池が配設される複数の配設部２０とを有する。複数の配設部２０を電池１０からの熱引きが大きいものから順に順位付けした熱引き順位が該熱引き順位の中央値よりも上位のグループである熱引き上位グループ２０Ａと、熱引き順位が中央値以下の下位のグループである熱引き下位グループ２０Ｂとに分けることができる。そして、複数の電池１０の中で、充放電におけるリチウムの析出しづらさを示すリチウム析出耐性が最も高い電池１０は、熱引き上位グループ２０Ａに属する配設部２０に配設されている。【選択図】図２
2020129486.tif 000002
【特許請求の範囲】
【請求項１】
リチウムイオン二次電池からなる複数の電池（１０）と、該電池が配設される複数の配設部（２０）とを有する電池構造体（１）であって、
上記複数の配設部を、上記電池からの熱引きが大きいものから順に順位付けした熱引き順位が該熱引き順位の中央値よりも上位のグループである熱引き上位グループ（２０Ａ）と、上記熱引き順位が上記中央値以下の下位のグループである熱引き下位グループ（２０Ｂ）とに分けたとき、上記複数の電池の中で、充放電におけるリチウムの析出しづらさを示すリチウム析出耐性が最も高い上記電池は、上記熱引き上位グループに属する上記配設部に配設されている、電池構造体。
【請求項２】
上記複数の電池を、リチウム析出耐性が高いものから順に順位付けした析出耐性順位が該析出耐性順位の中央値よりも上位のグループである析出耐性上位グループ（１０Ａ）と、上記析出耐性順位が上記中央値以下の下位のグループである析出耐性下位グループ（１０Ｂ）とに分けたとき、
上記析出耐性上位グループに属する上記電池は、上記熱引き上位グループに属する上記配設部に配設され、
上記析出耐性下位グループに属する上記電池は、上記熱引き下位グループに属する上記配設部に配設される、請求項１に記載の電池構造体。
【請求項３】
上記リチウム析出耐性は、上記電池の電池抵抗に対する負極抵抗の割合、上記電池における負極容量に対する正極容量の比、上記電池の低温特性、上記電池の熱容量の少なくとも一つに基づいて定められる、請求項１又は２に記載の電池構造体。
【請求項４】
上記複数の配設部の中で、リチウム析出耐性が最も高い上記電池が配設された上記配設部には、上記電池よりも熱容量の大きい部材（３０）が熱的に接続されている、請求項１〜３のいずれか一項に記載の電池構造体。
【請求項５】
上記複数の電池の中でリチウム析出耐性が最も高い上記電池には、外部接続用配線（４０）が接続されている、請求項１〜４のいずれか一項に記載の電池構造体。
【請求項６】
冷媒を流通させる冷媒流路（５６、５９）と、該冷媒流路に冷媒を導入する冷媒導入部（５７）と、上記冷媒流路から冷媒を排出する冷媒排出部（５８）とを有し、上記冷媒流路に上記冷媒を流通させて上記複数の電池を冷却する冷却器（５５）を備え、
上記複数の電池の中でリチウム析出耐性が最も高い上記電池は、上記複数の配設部の中で上記冷媒導入部に最も近い位置に位置する上記配設部に配設されている、請求項１〜５のいずれか一項に記載の電池構造体。
【請求項７】
上記複数の電池には、使用履歴を有する再利用品が含まれている、請求項１〜６のいずれか一項に記載の電池構造体。
【発明の詳細な説明】
【技術分野】
【０００１】
本発明は、電池構造体に関する。
【背景技術】
【０００２】
従来、電池構造体として、複数の電池セルを備えた電池モジュールや電池パックが広く使用されている。例えば、特許文献１には、複数の電池セルが収納ケース内に並べられて拘束部材により両端から拘束された電池モジュールにおいて、電池セルと拘束部材との間に加熱部を設けた構成が開示されている。かかる構成では、暖機手段により加熱部を加熱することにより、拘束部材に隣接する電池セルを加熱して、拘束部材による当該電池セルの熱引きを防止して、電池モジュールに備えられた電池セル全体を効率よく暖機できるようにしている。
【先行技術文献】
【特許文献】
【０００３】
【特許文献１】特許第５４０１９００号公報
【発明の概要】
【発明が解決しようとする課題】
【０００４】
一方、走行時や急速充電を行う場合に電池セルや電池モジュールが過剰に発熱することを抑制するために、冷却器等により強制的に冷却することが行われている。この場合には、複数の電池セルや電池モジュールが均一に冷却されずに冷却器に近い位置のものや熱引きの大きい位置のものが過度に冷却されるおそれがある。電池セルや電池モジュールがリチウムイオン二次電池からなる場合には、過度に冷却されると、充放電において電極にリチウムが析出して充放電効率や安全性を低下させる恐れがある。
【０００５】
本発明は、かかる背景に鑑みてなされたもので、リチウムの析出が防止される電池構造体を提供しようとするものである。
【課題を解決するための手段】
【０００６】
本発明の一態様は、リチウムイオン二次電池からなる複数の電池（１０）と、該電池が配設される複数の配設部（２０）とを有する電池構造体（１）であって、
上記複数の配設部を、上記電池からの熱引きが大きいものから順に順位付けした熱引き順位が該熱引き順位の中央値よりも上位のグループである熱引き上位グループ（２０Ａ）と、上記熱引き順位が上記中央値以下の下位のグループである熱引き下位グループ（２０Ｂ）とに分けたとき、上記複数の電池の中で、充放電におけるリチウムの析出しづらさを示すリチウム析出耐性が最も高い上記電池は、上記熱引き上位グループに属する上記配設部に配設されている、電池構造体にある。
【発明の効果】
【０００７】
上記電池構造体においては、熱引き上位グループに属する配設部は、熱引きが大きいため当該配設部に配設された電池は温度低下に伴ってその電池抵抗が上昇してリチウム析出が促される傾向がある。しかしながら、上記電池構造体では、充放電においてリチウム析出耐性が最も高い電池が熱引き上位グループに属する配設部に配設されているため、電池構造体全体としてリチウムの析出が防止されることとなる。
【０００８】
以上のごとく、本発明によれば、リチウムの析出が防止される電池構造体を提供することができる。
【０００９】
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１０】
【図１】実施形態１における、電池構造体の構成を示す概念図。
【図２】実施形態１における、析出耐性順位と熱引き順位との関係を示す概念図。
【図３】変形形態１における、析出耐性順位と熱引き順位との関係を示す概念図。
【図４】変形形態２における、電池構造体の構成を示す概念図。
【図５】実施形態２における、電池構造体の構成を示す概念図。
【図６】実施形態２における、析出耐性順位と熱引き順位との関係を示す概念図。
【図７】変形形態３における、電池構造体の構成を示す概念図。
【図８】実施形態３における、電池構造体の構成を示す概念図。
【発明を実施するための形態】
【００１１】
（実施形態１）
上記電池構造体の実施形態について、図１、図２を用いて説明する。
本実施形態の電池構造体１は、図１に示すように、リチウムイオン二次電池からなる複数の電池１０と、該電池１０が配設される複数の配設部２０とを有する。
図２に示すように、複数の配設部２０は、電池１０からの熱引きが大きいものから順に順位付けした熱引き順位が該熱引き順位の中央値よりも上位のグループである熱引き上位グループ２０Ａと、熱引き順位が中央値以下の下位のグループである熱引き下位グループ２０Ｂとに分けることができる。
そして、複数の電池１０の中で、充放電におけるリチウムの析出しづらさを示すリチウム析出耐性が最も高い電池１０は、熱引き上位グループ２０Ａに属する配設部２０に配設されている。
【００１２】
以下、本実施形態の電池構造体１について、詳述する。
電池構造体１は、電池モジュール又は電池パックを構成することができる。本実施形態では、電池構造体１は電池モジュールであって、電池１０として単電池である電池セルを備える。電池１０は電池セルを複数備える組電池であってもよい。電池１０が組電池である場合には、組電池を構成する電池セル全体を合わせて一つの電池１０として取り扱うことができる。なお、電池構造体１が電池パックである場合は、電池１０として電池モジュールを備えるものとすることができる。
【００１３】
電池１０は、公知のリチウムイオン二次電池からなる、当該リチウムイオン二次電池の構成は特に限定されず、電解質が液体のものの他、電解質が固体のいわゆるバイポーラ型の全固体電池であってもよい。また、電極材料も公知のものを採用することができる。本実施形態では、複数の電池１０は電解質が液体の単電池であるリチウムイオン二次電池であって、図１に示すように、第１の電池１１、第２の電池１２、第３の電池１３、第４の電池１４、第５の電池１５、第６の電池１６及び第７の電池１７を含む。各電池１１〜１７は互いに直列に接続されている。なお、複数の電池１０に含まれる電池１０の数は限定されない。
【００１４】
図２に示すように、複数の電池１０における電池性能には、初期出荷時からバラツキが存在している。当該バラツキは電池１０を構成する要素における種々の要因によって引き起こされるが、電池１０の製造工程における活性化工程での温度、時間、印加電圧などの条件によって、ある程度制御することができる。そして、電池１０における電池性能の一つとして、リチウム析出耐性が挙げられる。リチウム析出耐性は、充放電におけるリチウムの析出しづらさを示す指標であって、電池１０の電池抵抗に対する負極抵抗の割合、電池１０における負極容量に対する正極容量の比である正負極容量比、電池１０の低温特性、電池１０の熱容量の少なくとも一つに基づいて定めることができる。例えば、電池１０ごとに電池抵抗に対する負極抵抗の割合を算出し、当該割合の小さいものほどリチウム析出耐性が高いものと定めることができる。複数の電池１０において、電池抵抗における負極抵抗の割合は、例えば、電池１０における通電時の電圧変化から算出した抵抗に基づいて負極抵抗を推定したり、通電時の交流インピーダンスに基づいて導出した負極抵抗を算出したりして導出することができる。電池抵抗における負極抵抗の割合は、例えば、正極と負極の電極重量比、正極と負極の活物質種などによって制御することができる。
【００１５】
また、各電池１０の正負極容量比に基づいてリチウム析出耐性を定める場合は、製造検査時に得られる正負極の電極目付、電池容量、電池電圧、電池抵抗の情報などから電池１０の正負極容量比を算出して、当該容量比が大きいものほどリチウム析出耐性が高いものと定めることができる。また、電池１０の低温特性に基づいてリチウム析出耐性を定める場合は、低温特性が良好なものほどリチウム析出耐性が高いものと定めることができる。また、電池１０の熱容量に基づいてリチウム析出耐性を定める場合は、熱容量が大きいものほどリチウム析出耐性が高いものと定めることができる。これらリチウムの析出しづらさを示す指標は使用履歴のある劣化電池においても適用することができる。
【００１６】
そして、本実施形態では、複数の電池１０における電池抵抗に対する負極抵抗の割合に基づいて定めたリチウム析出耐性が高いものから順に順位付けした析出耐性順位において、図２に示すように、第１の電池１１及び第７の電池１７は１位であり、第２の電池１２及び第６の電池１６は２位であり、第３の電池１３及び第５の電池１５は３位であり、第４の電池１４は４位となっている。
【００１７】
複数の電池１０は、析出耐性順位に基づいて、析出耐性順位の中央値よりも上位である析出耐性上位グループ１０Ａと、当該中央値以下の下位である析出耐性下位グループ１０Ｂとに分けることができる。本実施形態では、複数の電池１０の析出耐性順位は１位から４位の偶数個であって、その中央値は中央に近い２つの値の算術平均値の２．５である。従って、析出耐性上位グループ１０Ａには、析出耐性順位が１位の第１の電池１１及び第７の電池１７と、析出耐性順位が２位の第２の電池１２及び第６の電池１６とが含まれることとなる。一方、析出耐性下位グループ１０Ｂには、析出耐性順位が３位の第３の電池１３及び第５の電池１５と、熱引き順位が４位の第４の電池１４とが含まれることとなる。
【００１８】
図１に示すように、複数の電池１０は複数の配設部２０に配設されている。本実施形態では、複数の配設部２０として、第１の配設部２１、第２の配設部２２、第３の配設部２３、第４の配設部２４、第５の配設部２５、第６の配設部２６、第７の配設部２７が設けられており、この順で配列している。そして、複数の配設部２０における配列方向Ｘの両端に位置する第１の配設部２１及び第７の配設部２７にはそれぞれ隣接する位置にエンドプレート３０が設けられている。また、複数の配設部２０において配列方向Ｘに直交する上下方向Ｙにおける下方には熱交換器５０が設けられている。熱交換器５０は、複数の電池１０の下端に当接して複数の電池１０から伝播された熱を外部に放出するように構成されている。
【００１９】
複数の配設部２０において、それぞれに配設された電池１０からの熱引きの大きさには、配設部２０ごとにバラツキがある。例えば、配設部２０の配列において端に近いものほど熱引きが大きくなりやすい。また、電池１０よりも熱容量の大きい部材に近い位置であったり、当該部材に熱的に接続されたりした配設部２０ほど熱引きが大きくなりやすい。
【００２０】
本実施形態では、図２に示すように、配設部２０の配列の端に位置する第１の配設部２１及び第７の配設部２７には、エンドプレート３０が熱的に接続されている。そのため、本実施形態では、複数の配設部２０を熱引きが大きいものから順に順位付けした熱引き順位において、図２に示すように、第１の配設部２１及び第７の配設部２７は１位であり、第２の配設部２２及び第６の配設部２６は２位であり、第３の配設部２３及び第５の配設部２５は３位であり、第４の配設部２４は４位となっている。
【００２１】
複数の配設部２０は、熱引き順位に基づいて、熱引き順位の中央値よりも上位である熱引き上位グループ２０Ａと、当該中央値以下の下位である熱引き下位グループ２０Ｂとに分けることができる。本実施形態では、複数の配設部２０の熱引き順位は１位から４位の偶数個であって、その中央値は中央に近い２つの値の算術平均値の２．５である。従って、熱引き上位グループ２０Ａには、熱引き順位が１位の第１の配設部２１及び第７の配設部２７と、熱引き順位が２位の第２の配設部２２及び第６の配設部２６とが含まれることとなる。一方、熱引き下位グループ２０Ｂには、熱引き順位が３位の第３の配設部２３及び第５の配設部２５と、熱引き順位が４位の第４の配設部２４とが含まれることとなる。
【００２２】
そして、図２に示すように、複数の電池１０において、リチウム析出耐性が最も高い第１の電池１１及び第７の電池１７は、熱引き上位グループ２０Ａに属する配設部２０に配設されている。さらに、本実施形態では、析出耐性上位グループ１０Ａに属する電池１０は、熱引き上位グループ２０Ａに属する配設部２０に配設され、析出耐性下位グループ１０Ｂに属する電池１０は、熱引き下位グループ２０Ｂに属する配設部２０に配設されている。より具体的には、本実施形態では、複数の電池１０は、複数の電池１０における析出耐性順位と、複数の配設部２０における熱引き順位とが一致するように、複数の配設部２０に配設されている。
【００２３】
本実施形態では、図１に示すように、複数の配設部２０は線状に配列しており、複数の電池１０は複数の配設部２０に配設された状態で互いに積層されている。電池１１〜１７の配列方向Ｘの両端側には一対のエンドプレート３０が位置しており、エンドプレート３０により、電池１１〜１７は配列方向Ｘの両側から挟持されている。なお、隣り合う電池１１〜１７の間には電池セル同士が直接接するのを防止するための緩衝部材や電池セル間の熱移動を抑制する断熱部材が介在されていてもよい。また、本実施形態では、複数の電池１０の中でリチウム析出耐性が最も高い電池１０には、外部接続用配線４０が接続されている。外部接続用配線４０は、図示しない車両の電源系に接続されている。
【００２４】
次に、本実施形態の電池構造体１における作用効果について、詳述する。
本実施形態の電池構造体１において、熱引き上位グループ２０Ａに属する配設部２０は、熱引きが大きいため当該配設部２０に配設された電池１０はその電池抵抗が上昇してリチウム析出が促される傾向がある。しかしながら、本実施形態の電池構造体１では、充放電においてリチウム析出耐性が最も高い電池１０が熱引き上位グループ２０Ａに属する配設部２０に配設されているため、電池構造体１全体としてリチウムの析出が防止される。
【００２５】
また、本実施形態の電池構造体１では、リチウムの析出防止のために電池１０を加熱する加熱装置などを設ける必要がなく、簡易な構成でリチウムの析出を防止できるため、装置の小型化を図ることができる。
【００２６】
また、本実施形態では、複数の電池１０を、リチウム析出耐性が高いものから順に順位付けした析出耐性順位が該析出耐性順位の中央値よりも上位のグループである析出耐性上位グループ１０Ａと、析出耐性順位が中央値以下の下位のグループである析出耐性下位グループ１０Ｂとに分けたとき、析出耐性上位グループ１０Ａに属する電池１０は、熱引き上位グループ２０Ａに属する配設部２０に配設され、析出耐性下位グループ１０Ｂに属する電池１０は、熱引き下位グループ２０Ｂに属する配設部２０に配設される。これにより、リチウム析出耐性が高い析出耐性上位グループ１０Ａに属する電池１０が熱引き上位グループ２０Ａに属する配設部２０に配設されているため、電池構造体１全体としてリチウムの析出が防止される。
【００２７】
また、本実施形態では、リチウム析出耐性は、電池１０の電池抵抗における負極抵抗の割合、電池１０の正負極容量比、電池１０の低温特性、電池１０の熱容量の少なくとも一つに基づいて定められる。これにより、簡易な方法で電池１０のリチウム析出耐性を取得することができる。
【００２８】
また、本実施形態では、複数の配設部２０の中で、リチウム析出耐性が最も高い電池１０が配設された配設部２０には、電池１０よりも熱容量の大きい部材であるエンドプレート３０が熱的に接続されている。これにより、エンドプレート３０が熱的に接続された配設部２０では熱引きが増大するが、当該配設部２０にリチウム析出耐性が最も高い電池１０を配設することにより、当該熱引きの増大によるリチウムの析出の増加を抑制することができる。
【００２９】
また、本実施形態では、複数の電池１０の中でリチウム析出耐性が最も高い電池１０には、外部接続用配線４０が接続されている。外部接続用配線４０が接続された電池１０は、外部接続用配線４０により熱引きが増大することとなるが、外部接続用配線４０をリチウム析出耐性が最も高い電池１０に接続することにより、当該熱引きの増大によるリチウムの析出の増加を抑制することができる。
【００３０】
本実施形態では、図２に示すように、複数の電池１０における析出耐性順位は１位から４位まで順位付けされたが、図３に示す変形形態１のように、複数の電池１０が、リチウム析出耐性が最も高い第１の電池１１及び第７の電池１７と、析出耐性順位が最も低いその他の電池１２〜１６とを備え、複数の電池１０における析出耐性順位が１位と２位に順位付けされることとしてもよい。かかる変形形態では、析出耐性上位グループ１０Ａに属する第１の電池１１及び第７の電池１７は、すべて熱引き上位グループ２０Ａに属する配設部２０に配設されているが、析出耐性下位グループ１０Ｂに属する複数の電池１０の中で第２の電池１２及び第６の電池１６は熱引き上位グループ２０Ａに属する配設部２０に配設されている。当該変形形態においても、実施形態１と同様の作用効果を奏する。
【００３１】
本実施形態では、図１に示すように、熱交換器５０は各電池１０の下面に接するように構成されているが、これに替えて、図４に示す変形形態２のように、熱交換器５０が各電池１０の下面に接する底部５１と、底部５１における配列方向Ｘの両端からそれぞれ上方に向けて立設された一対の立設部５２とを備え、上方が開口した枠形状を有するようにすることができる。当該変形形態２では、一対の立設部５２の間には、複数の電池１０とエンドプレート３０が実施形態１と同様に配設されている。そして、一対の立設部５２は、配列方向Ｘの両端のエンドプレート３０にそれぞれ接している。当該変形形態２では、本実施形態に比べて、一対の立設部５２によりエンドプレート３０と隣り合う電池１０からの熱引きが大きくなる。この場合でも本実施形態１と同等の作用効果を奏することができる。
【００３２】
本実施形態では、複数の電池１０はいずれも使用履歴を有さない新品としたが、これに替えて、複数の電池１０は使用履歴を有する再利用品が含まれていてもよい。再利用品の電池１０は電池性能としてのリチウム析出耐性の程度が様々であるため、再利用品を含む複数の電池１０におけるリチウム析出耐性のバラツキが大きくなる傾向がある。かかる場合でも、当該再利用品の電池１０のリチウム析出耐性と、複数の配設部２０の熱引き順位に基づいて、再利用品の電池１０を最適な配設部２０に配設して使用することができるため、再利用品の電池１０の利用率向上に寄与することができる。
【００３３】
以上のごとく、本実施形態及び変形形態１、２によれば、リチウムの析出が防止される電池構造体１を提供することができる。
【００３４】
（実施形態２）
図５に示すように、本実施形態では、実施形態１における熱交換器５０に替えて、熱交換器としての冷却器５５を備える。そして、複数の電池１０はいずれも使用履歴を有する再利用品であって、実施形態１の場合に比べて複数の電池１０における電池性能のバラツキが大きくなっている。
【００３５】
図５に示すように、冷却器５５は、複数の電池１０の底面に熱的に接続されている。冷却器５５は、冷媒流路５６、冷媒導入部５７及び冷媒排出部５８を有する。冷媒流路５６は冷媒を流通させるように構成されている。冷媒導入部５７は、冷媒流路５６に冷媒を導入するように構成されている。冷媒排出部５８は、冷媒流路５６から冷媒を排出するように構成されている。かかる冷却器５５では矢印Ｆで示すように、冷媒は冷媒導入部５７から冷媒排出部５８に向けて冷媒流路５６内を流通する。冷媒の種類は限定されず、本例では、液体の冷媒を採用している。
【００３６】
本実施形態では、図５に示すようにエンドプレート３０に近い配設部２０に配置された方が熱引きが大きく、また、冷媒導入部５７に近い方が熱引きが大きい。そのため、本実施形態では、図６に示すように、複数の配設部２０における熱引きは大きいものから順に、第１の配設部２１、第２の配設部２２、第７の配設部２７、第３の配設部２３、第６の配設部２６、第４の配設部２４、第５の配設部２５となっている。従って、熱引き上位グループ２０Ａには第１の配設部２１、第２の配設部２２及び第７の配設部２７が属し、熱引き下位グループ２０Ｂには第３の配設部２３、第６の配設部２６、第４の配設部２４及び第５の配設部２５が属する。
【００３７】
本実施形態では、複数の電池１０におけるリチウム析出耐性は高いものから順に、第１の電池１１、第２の電池１２、第７の電池１７、第３の電池１３、第６の電池１６、第４の電池１４、第５の電池１５となっている。従って、本実施形態では、複数の電池１０における析出耐性順位と複数の配設部２０における熱引き順位とが互いに一致している。本実施形態において、その他の構成要素は実施形態１の場合と同様であり、実施形態１の場合と同一の符号を用いてその説明を省略する。
【００３８】
本実施形態の電池構造体１における作用効果について、以下に詳述する。
本実施形態の電池構造体１では、冷媒を流通させる冷媒流路５６と、冷媒流路５６に冷媒を導入する冷媒導入部５７と、冷媒流路５６から冷媒を排出する冷媒排出部５８とを有し、冷媒流路５６に冷媒を流通させて複数の電池１０を冷却する冷却器５５を備える。そして、複数の電池１０の中でリチウム析出耐性が最も高い第１の電池１１は、複数の配設部２０の中で冷媒導入部５７に最も近い位置に位置する第１の配設部２１に配設されている。これにより、冷却器５５を備える構成を有する電池構造体１においても全体としてリチウムの析出が防止される。なお、本実施形態２においても、実施形態１と同等の作用効果を奏する。
【００３９】
また、本実施形態２に替えて、図７に示す変形形態３のように、冷却器５５は、隣接する電池１０の間、及びエンドプレート３０と電池１０との間に冷媒流路５９を有するサーペンタイン型の冷却器であってもよい。この場合は、複数の電池１０の冷却性能が高まる。当該変形形態３においても本実施形態１、２と同等の作用効果を奏する。
【００４０】
（実施形態３）
本実施形態３では、実施形態１における単一のセルからなる電池１０に替えて、図８に示すように、複数の電池１０はいずれも３つのセルＡ、Ｂ、Ｂを有し、互いに並列接続されている。そして、３つのセルの内、セルＡはセルＢに比べて負極抵抗割合が小さく、リチウム析出耐性が高い。
【００４１】
そして、複数の電池１０において、第１の電池１１、第２の電池１２及び第３の電池１３は、複数の配設部２０において、いずれも一対のエンドプレート３０のうちの一方である第１のエンドプレート３１に近い側の第１の配設部２１、第２の配設部２２及び第３の配設部２３にそれぞれ配設されている。そして、第１の電池１１〜第３の電池１３はいずれもリチウム析出耐性が高いセルＡが第１のエンドプレート３１に近い側に位置するように配設されている。一方、複数の電池１０において、第５の電池１５、第６の電池１６及び第７の電池１７は、複数の配設部２０において、いずれも一対のエンドプレート３０のうちの他方である第２のエンドプレート３２に近い側の第５の配設部２５、第６の配設部２６及び第７の配設部２７にそれぞれ配設されている。そして、第５の電池１５〜第７の電池１７はいずれもリチウム析出耐性が高いセルＡが第２のエンドプレート３２に近い側に位置するように配設されている。なお、第４の電池１４は、複数の電池１０において一対のエンドプレート３０の両方と同じ距離に位置するが、本実施形態ではセルＡが第１のエンドプレート３１に近い側に位置するように配設されている。その他の構成は実施形態１と同等であって、同一の符号を付してその説明青を省略する。
【００４２】
本実施形態によれば、複数の電池１０はそれぞれ、エンドプレート３０に近い側にリチウム析出耐性が高いセルＡが位置するように配設されている。これにより、電池１０ごとにおいても、熱引きの大きい側にリチウム析出耐性が高いセルＡが位置することとなるため、各電池１０においてリチウムの析出が防止される。
【００４３】
本発明は上記各実施形態及び変形形態に限定されるものではなく、その要旨を逸脱しない範囲において種々の実施形態に適用することが可能である。例えば、実施形態３における熱交換器５０に替えて、実施形態２における冷却器５５の構成を採用することとしてもよい。
【符号の説明】
【００４４】
１  電池構造体
１０、１１〜１７  電池
１０Ａ  析出耐性上位グループ
１０Ｂ  析出耐性下位グループ
２０、２１〜２７  配設部
２０Ａ  上位グループ
２０Ｂ  下位グループ
３０  エンドプレート
４０  外部接続用配線
５５  冷却器
【図１】
2020129486.tif 000003
【図２】
2020129486.tif 000004
【図３】
2020129486.tif 000005
【図４】
2020129486.tif 000006
【図５】
2020129486.tif 000007
【図６】
2020129486.tif 000008
【図７】
2020129486.tif 000009
【図８】
2020129486.tif 000010